(57)【要約】【課題】洗濯ばさみの金属製のばね部品を廃し、当該ばね部品の代用機能を有するとともに、構成部品を簡素化することで、製造工程の簡略化、低コスト化を図ることと、部品の材質を単一種類に統一することで資源の再利用化を容易にすることを課題とする。【解決手段】洗濯ばさみを構成する部品である１対の開閉片１と２において、１側に板ばね６を付加した１体構造体とすることで、２の開閉片と結合している支軸部５を中心に従来どおりにばねの作用による開閉を可能にした。これにより構成部品を上記開閉片１と２の２点のみと簡素化でき、材質を単一種類に統一することで組み立ての工程の簡略化と資源の再利用化を容易にしている。【選択図】図１
0003112627.tif 000002
【実用新案登録請求の範囲】
【請求項１】
洗濯ばさみを構成する部品である、１対の開閉方の片方に板ばねを付加した１体構造体とし、もう片方に板ばねの受け部を有した形態を備えていることを特徴とする洗濯ばさみ。
【請求項２】
上記１対の開閉片を結合させる手段として、支軸部に差し込みやはめ合い等の構造を有することで結合を行い、構成部品を上記開閉片の２点のみと簡素化し、製造工程における組み立て工程の簡易化を容易にしていることを特徴とする請求項１記載の洗濯ばさみ。
【請求項３】
洗濯ばさみの挟持部先端に導入部を設け、挟持部に抜け落ちにくい突起形状を配置することで、洗濯した衣類等を挟むという従来の洗濯ばさみの動作だけではなく、当該衣料等を差し入れるという動作によっても使用できることを特徴とする洗濯ばさみ。
【考案の詳細な説明】
【技術分野】
【０００１】
本考案は、金属製のばねを用いずに構成部品を簡素化した洗濯ばさみに関するものである。
【背景技術】
【０００２】
従来一般に普及している洗濯ばさみの構造は、挟持部、支軸部、取手部から構成される１対の開閉片と、当該開閉片の挟持力を発生させ、なおかつ、当該開閉片を支軸部にて結合させるための、金属製の略Ｃ字型等の形状を有するばねの３部品によって構成されている。
【０００３】
この上記従来の洗濯ばさみでは１対の開閉片を各成型品にて製造し、他に金属等でばねを製造して、各部品を組み立てるといった工程を経てゆくが、従来の洗濯ばさみの構造を改良することでさらなる工程の簡略化、低コスト化を見込む余地は残されている。
【０００４】
また、従来の洗濯ばさみが廃棄される場合、現在の大多数の製品が焼却されていると仮定すると、再利用不能な燃え滓と金属が残され、産業廃棄物となるしかない。あるいは、２０世紀末より進められている資源の再利用化が今後も促進されていくことを考慮すると、当該洗濯ばさみは樹脂成型品と金属製のばねとに分別しなければならないことも想定できるが、そうした場合は人的な労力を求められることになり、効率の悪い作業であるがゆえに徹底実施されるまでに時間がかかるであろうという問題を残す。
【０００５】
この改善策として、従来の洗濯ばさみにおける一対の開閉片の挟持力を発生させ、なおかつ、当該開閉片を支軸部にて結合させるために必要であった金属製のばね部品を廃し、開閉方の片方に板ばねを付加した１体構造体とし、もう片方に板ばねの受け部を有した形態を備えさせることと、支軸部自身に結合のための機構を付加することで、構成部品を２点のみと簡素化できるとともに、製造工程の簡略化、低コスト化が可能となり、部品の材質を単一種類に統一できることからも、資源の再利用化の一助にもなる。
【考案の開示】
【考案が解決しようとする課題】
【０００６】
解決しようとする問題点は、洗濯ばさみの金属製のばね部品を廃し、当該ばね部品の代用機能を保持しながら構成部品を簡素化する手段を提供することである。
【課題を解決するための手段】
【０００７】
本考案は、上記ばね部品の代用機能を有する手段として、洗濯ばさみを構成する部品である１対の開閉方の片方に板ばねを付加した１体構造体とし、もう片方に板ばねの受け部を有した形態を備え持ち、当該開閉片を結合させる手段として、支軸部に差し込みやはめ合い等の構造を有することを最も主要な特徴とする。
【考案の効果】
【０００８】
本考案は、上記の手段によって、構成部品を上記開閉片の２点のみと簡素化できることと、部品の材質を単一種類に統一できるという利点がある。
【考案を実施するための最良の形態】
【０００９】
洗濯ばさみを構成する部品である１対の開閉方の片方に板ばねを付加した１体構造体とすることで、もう片方の開閉片と結合している支軸部を中心に従来どおりにばねの作用による開閉を実現した。
【００１０】
上記本考案を実施するにあたり、使用される材質は日常生活を送るうえで無害であり、耐久力を有し、弾力性を有するものであること、なおかつ、再利用が可能なものであることが条件に挙げられ、想定される材質は当該条件を満たす特性を有する樹脂、または処理された金属製とし、いずれかの材質に統一することで資源の再利用化に配慮する。
【実施例１】
【００１１】
図１は、本考案の実施例１の外観図であって、１及び２は洗濯ばさみを構成する開閉片であり、それぞれ３ａ、３ｂの挟持部、４ａ、４ｂ取手部を有し、５の支軸部にて１及び２は結合している。６は板状ばねで１と一体構造となっている。
【００１２】
本考案の実施例１は上記の如き構成からなるもので、２点の構成部品のみで従来の洗濯ばさみと同様の機能を保有する。
【００１３】
図２は、上記図１の５の支軸部に係る結合部分の構造図である。７及び８は組み合わせて支軸部の回転に十分な空間を確保するためのヒンジであり、７側には９のはめあい軸、８側には１０のはめあい穴を備え、支軸部の回転運動の中心となる。５は支軸部、１１は支軸部の受けとなっており、７〜１0の補強と防護を兼ねている。
【００１４】
従来の洗濯ばさみの金属製の略Ｃ字型等の形状を有するばねが、開閉片の挟持力を支軸部にて結合させる役割も担っていたことに対し、本考案の実施例１にて前当該役割を担う機構であり、その結果、本考案の１実施例の如き構成部品を簡素化できるとともに、製造工程の簡略化、低コスト化が可能となり、部品の材質を単一種類に統一することができる。
【００１５】
図３は、上記図１の３ａ、３ｂの挟持部に係る説明図であり、請求項３に特に係るものである。
【００１６】
上記図３は、３ａ、３ｂの挟持部先端に１２ａ、１２ｂの導入部を設け、続く１３ａ、１３ｂの突起物を配置する。当該突起物の形状はサメの歯を模しており、差し入れ易く、引き抜きにくい形状とすることで洗濯した衣料等を抜け落ちにくく挟むことを目的としており、従来の洗濯ばさみの動作だけではなく、使用条件が整えば当該衣料等を差し入れるという動作によっても使用できる。
【産業上の利用可能性】
【００１７】
洗濯ばさみの生産においての製造工程を簡略化し、生産コストを下げることができ、また、廃棄時においては部品の材質を単一種類に統一することができることから資源の再利用も容易となることから環境保全にも役立つ。
【図面の簡単な説明】
【００１８】
【図１】洗濯ばさみの実施方法を示した説明図である。（実施例１）
【図２】上記図１の支軸部に係る結合部分の構造図である。（実施例１）
【図３】上記図１の挟持部に係る実施方法を示した説明図である。（実施例1）
【符号の説明】
【００１９】
１      開閉片オス
２      開閉片メス
３ａ    挟持部オス側
３ｂ    挟持部メス側
４ａ    取手部オス側
４ｂ    取手部メス側
５      支軸部
６      板ばね
７      ヒンジ
８      ヒンジ受け
９      はめあい軸
１０    はめあい穴
１１    支軸部受け
１２ａ  挟持部オス側
１２ｂ  挟持部メス側
１３ａ  突起物オス側
１３ｂ  突起物メス側
【図１】
0003112627.tif 000003
【図２】
0003112627.tif 000004
【図３】
0003112627.tif 000005
【手続補正書】
【提出日】平成17年4月6日(2005.4.6)
【手続補正１】
【補正対象書類名】実用新案登録請求の範囲
【補正対象項目名】請求項３
【補正方法】変更
【補正の内容】
【請求項３】
洗濯ばさみの挟持部先端に導入部を設け、挟持部に抜け落ちにくい突起形状を配置することで、洗濯した衣類等を挟むという従来の洗濯ばさみの動作だけではなく、当該衣料等を差し入れるという動作によっても使用できることを特徴とする請求項１記載の洗濯ばさみ。
【手続補正書】
【提出日】平成17年6月7日(2005.6.7)
【手続補正１】
【補正対象書類名】実用新案登録請求の範囲
【補正対象項目名】請求項３
【補正方法】変更
【補正の内容】
【請求項３】
洗濯ばさみの挟持部先端に導入部を設け、挟持部に抜け落ちにくい突起形状を配置することで、洗濯した衣類等を挟むという洗濯ばさみの動作だけではなく、該衣料等を差し入れるという動作によっても使用できることを特徴とする請求項１記載の洗濯ばさみ。